【事件の表示】
　特許第５９４５０５０号発明「複数枚の布の縫合及びその縫合用ミシン」の特許異議申立事件について、次のとおり決定する。
【結　論】
　特許第５９４５０５０号の請求項１〜７に係る特許を維持する。
【理　由】
１．手続の経緯
　特許第５９４５０５０号の請求項１〜７に係る特許についての出願は、平成２７年９月２８日（優先権主張、平成２７年３月２４日）に特許出願され、平成２８年６月３日にその特許権の設定登録がされ、その後、その特許に対し、特許異議申立人北村仁（以下「申立人」という。）により特許異議の申立てがされたものである。
　
２．本件発明
　特許第５９４５０５０号の請求項１〜７に係る発明は、それぞれ、その特許請求の範囲の請求項１〜７に記載された事項により特定されるとおりのものであると認める。　
　「【請求項１】
　複数枚の布（１ａ、１ｂ）を重ね、その重ねた布（１ａ、１ｂ）の縫合箇所に毛糸（２）を載せ、その毛糸（２）も含めて前記複数枚の布（１ａ、１ｂ）を突き通すニードルフェルティングを行い、前記毛糸（２）の繊維（２ａ）を前記複数枚の布（１ａ、１ｂ）の繊維に絡ませてその複数枚の布（１ａ、１ｂ）を縫合するミシンであって、
　上記複数枚の布（１ａ、１ｂ）を重ねて載置する縫合台（１６）と、フェルティング針（３）と、そのフェルティング針（３）を覆う安全カバー（１２、１２’）の下端の毛糸ガイド（１３、１３’）と、前記重ねられた複数枚の布（１ａ、１ｂ）に向かって前記フェルティング針（３）を昇降する手段と、を有し、ボビン又は毛糸玉（Ｂ）から上記毛糸（２）を前記毛糸ガイド（１３、１３’）によって上記縫合個所に導き、前記フェルティング針（３）を昇降させることにより、上記ニードルフェルティングを行って前記複数枚の布（１ａ、１ｂ）を縫合するミシン。
【請求項２】
　請求項１に記載のミシン（Ａ２）において、そのミシンハウジング（１０ａ、１０ｂ、１０ｃ）は、基台（１１０）の一端上面から立ち上がる脚部（１２０）と、その脚部（１２０）の上部から前記基台（１１０）の他端方向に延びる水平方向のアーム部（１３０）と、そのアーム部（１３０）の先端部から下方に延びる頭部（１４０）とから成り、
　上記フェルティング針（３）を昇降する手段は、電動機（１２３）により回転する水平方向の駆動軸（１３１）と、その駆動軸（１３１）の直交方向所要位置に駆動軸（１３１）と一体に設けられた水平方向の駆動ピン（１３６）と、上記フェルティング針（３）を有して上下に移動する昇降体（１４１）とからなり、
　上記駆動軸（１３１）及び昇降体（１４１）は上記ミシンハウジング（１０ｂ、１０ｃ）内に設けられており、
　上記昇降体（１４１）は、上記駆動ピン（１３６）が摺動自在に嵌った水平方向の摺動溝（１４５）を有して、駆動軸（１３１）の回転によってその駆動ピン（１３６）及び摺動溝（１４５）を介して昇降し、
　上記頭部（１４０）のミシンハウジング（１０ｃ）下部に上記安全カバー（１２’）が設けられているミシン。
【請求項３】
　上記駆動軸（１３１）に同一軸心で設けられたパルサーリング（１３４）と、そのパルサーリング（１３４）の回転数を検出する回転センサ（１３５）とを、さらに有して、そのパルサーリング（１３４）と回転センサ（１３５）は上記ミシンハウジング（１０ｂ、１０ｃ）内に設けられている請求項２に記載のミシン。
【請求項４】
　上記フェルティング針（３）を有する昇降体（１４１）は、上記ミシンハウジング（１０ｂ）に取り外し可能のブロック（１４２）に設けられ、そのブロック（１４２）は、上下方向のガイド軸（１４３）を介して前記昇降体（１４１）を昇降自在に支持している請求項２又は３に記載のミシン。
【請求項５】
　毛糸玉（Ｃ）から引き出した毛糸（２）を案内するガイド溝（１３８）がミシンハウジング（１０ａ、１０ｂ、１０ｃ）のアーム部（１３０）の先端部上面に設けられ、毛糸玉（Ｃ）からの毛糸（２）は前記ガイド溝（１３８）から上記安全カバー（１２’）下端の毛糸ガイド（１３’）に導かれる請求項２〜４の何れか一つに記載のミシン。
【請求項６】
　上記縫合台（１６）は、上記基台（１１０）に上下方向に移動可能に設けられるとともに、弾性体（１１１）によって昇降可能に支持されている請求項２〜５の何れか一つに記載のミシン。
【請求項７】
　上記アーム部（１３０）の後部にハンドル（１２４）が上記駆動軸（１３１）の軸心回りに回転自在に設けられており、そのハンドル（１２４）は、前記駆動軸（１３１）にクラッチ継手（１２６）を介して連結されているとともにその軸心方向に移動自在になって弾性体（１２７）により連結離反方向に付勢されて前記クラッチ継手（１２６）により連結が切り離されるようになっており、
　上記弾性体（１２７）に抗してハンドル（１２４）を駆動軸（１３１）側に押し込むことによって、クラッチ継手（１２６）を介してハンドル（１２４）と駆動軸（１３１）が連結されて一体に回転するようになっている請求項２〜６の何れか一つに記載のミシン。」
　
３．申立理由の概要
　特許異議申立人北村仁は、証拠として、以下の甲第１号証〜甲第１５号証を提出し、請求項１に係る発明は、甲第１号証に記載された発明であり、特許法第２９条第１項第３号の規定に該当し、また、請求項１〜７に係る発明は、甲第１号証に記載された発明及び甲第２号証〜甲第４号証に記載された技術的事項に基づき、当業者が容易に発明をすることができたものであり、特許法第２９条第２項の規定に違反するものであるから、請求項１〜７に係る特許を取り消すべきものである旨主張している。
　（証拠一覧）
　甲第１号証：特開２００４−２２２８９５号公報
　甲第２号証の１：商品名「フェルティミシン」に係るアマゾンの通販サイトの写し
　甲第２号証の２：商品名「フェルティミシン」の分解写真
　甲第３号証：特開２００６−２７４４７１号公報
　甲第４号証：実公昭５８−４５５６号公報
　甲第５号証：Ｌｅａｎｎｅ ＭｃＷａｔｅｒｓ、「Ａｎ　Ｅｍｂｅｌｌｉｓｈｉｎｇ　Ｅｘｐｅｒｉｅｎｃｅ」、Ｔｈｅ　Ｖｉｒｔｕａｌ　Ｃｏｓｔｕｍｅｒ　Ｖｏｌ．８、Ｉｓｓｕｅ１、２０１０年２月、ｐ．５−６
　甲第６号証：「Ｂａｂｙ　Ｌｏｃｋ　Ｅｍｂｅｌｌｉｓｈｅｒ　Ｉｎｓｔｒｕｃｔｉｏｎ　ａｎｄ　Ｒｅｆｅｒｅｎｃｅ　Ｇｕｉｄｅ　Ｍｏｄｅｌ　ＥＭＢ１２」、Ｂａｂｙ　Ｌｏｃｋ、２００８年８月、ｐ．１、５、１０、１２
　甲第７号証：「ＥＲ１０　Ｕｓｅｒ’ｓ　Ｇｕｉｄｅ」、ＫＳＩＮ　Ｌｕｘｅｍｂｏｕｒｇ　ＩＩ、２００９年、ｐ．３、５−７
　甲第８号証：Ｌｉｎｄａ　Ｔｕｒｒｅｒ　Ｇｒｉｅｐｅｎｔｒｏｇ　外１名、「Ｎｅｅｄｌｅ　Ｆｅｌｔｉｎｇ　ｂｙ　Ｈａｎｄ　ｏｒ　Ｍａｃｈｉｎｅ」、ｋｒａｕｓｅ　ｐｕｂｌｉｃａｔｉｏｎｓ、２００７年６月２０日、ｐ．４７−４９
　甲第９号証：「Ｂｒｏｔｈｅｒ　ＰＱ　Ｓｅｒｉｅｓ　Ａｃｃｅｓｏｒｉｅｓ」、２００３年７月、ｐ．７６
　甲第１０号証：「Ｂｒｏｔｈｅｒ　Ａｃｃｅｓｏｒｙ　Ｃａｔａｌｏｇ」、Ｂｒｏｔｈｅｒ　Ｉｎｔｅｒｎａｔｉｏｎａｌ　Ｃｏｒｐｏｒａｔｉｏｎ、２００８年、ｐ．６９−７０
　甲第１１号証：Ｋａｔｈｙ　ＭａｃＭａｎｎｓｉｓ、「Ｆｅｌｔｓｃａｐｉｎｇ　Ｔｅｃｈｎｉｑｕｅ　Ｇｕｉｄｅ」、Ｂｒｏｔｈｅｒ　Ｉｎｔｅｒｎａｔｉｏｎａｌ　Ｃｏｒｐｏｒａｔｉｏｎ、２００３年、ｐ．４−５
　甲第１２号証：米国特許第４３１９５３２号明細書
　甲第１３号証：米国特許第１４５５８００号明細書
　甲第１４号証：米国特許第３０１９７５１号明細書
　甲第１５号証：米国特許第７１８８５７２号明細書
　
４．甲各号証の記載等
（１）甲第１号証には、以下の記載がある。
ア　「【請求項１】
ミシン本体に上下動自在に配設された針棒と、この針棒の下端部に縫製用の目孔付きの第１の針を固定する為の針抱きと、前記第１の針を用いて縫製する際に針棒の下方において糸を捕捉する糸捕捉手段とを備えたミシンにおいて、
前記針棒から水平方向に所定距離離隔して位置する第２の針と、
前記針棒を挟持可能な第１の挟持部と第２の針を挟持可能な第２の挟持部とを有し第２の針を針棒に取付ける為の針取付具と、
前記第２の針が通過する針穴を有する針板とを備え、
前記針取付具に、前記針棒と第２の針とを挟持する方向に締結部材が装着され、
締結部材を締結することにより第１、第２の挟持部で針棒と第２の針とを挟持するように構成したことを特徴とするミシン。」
イ　「【０００１】
【発明の属する技術分野】本発明は、ミシン及びこのミシンの針取付具に関し、特に、縫製用の第１の針と針棒の下端部から水平方向に所定距離離隔した第２の針とを容易に着脱可能に構成したものに関する。」
ウ　「【０００６】
本発明の目的は、縫製用の第１の針と針棒の下端部から水平方向に所定距離離隔した第２の針とを容易に着脱可能に構成することである。」
エ　「【０００７】
【課題を解決するための手段】請求項１のミシンは、ミシン本体に上下動自在に配設された針棒と、この針棒の下端部に縫製用の目孔付きの第１の針を固定する為の針抱きと、前記第１の針を用いて縫製する際に針棒の下方において糸を捕捉する糸捕捉手段とを備えたミシンにおいて、前記針棒から水平方向に所定距離離隔して位置する第２の針と、前記針棒を挟持可能な第１の挟持部と第２の針を挟持可能な第２の挟持部とを有し第２の針を針棒に取付ける為の針取付具と、前記第２の針が通過する針穴を有する針板とを備え、前記針取付具に、前記針棒と第２の針とを挟持する方向に締結部材が装着され、締結部材を締結することにより第１、第２の挟持部で針棒と第２の針とを挟持するように構成したものである。
【０００８】
このミシンにおいては、針棒の下端部の針抱きに縫製用の目孔付きの第１の針を装着可能であり、第１の針を針抱きに装着した状態で針棒を上下動させて第１の針から下方へ延びる糸を糸捕捉手段により捕捉して、第１の針と糸捕捉手段との協働により加工布に縫目を形成する。さらに、針棒には、針棒から水平方向に所定距離離隔した位置に、第２の針を針取付具により取付けることも可能である。ここで、針棒と第２の針とを挟持する方向に締結部材が装着されており、締結部材を締結することにより、針取付具の第１の挟持部で針棒が挟持され、第２の挟持部で第２の針が挟持されて、第２の針が針取付具を介して針棒に取付けられる。」
オ　「【００１９】
【発明の実施の形態】本発明の実施の形態について説明する。本実施形態は、加工布の上に重ねて戴置された装飾材としての毛糸を加工布に押し込んで加工布に刺繍的な装飾模様を施すニードルパンチング加工が可能なミシンに本発明を適用した一例である。
【００２０】
図１〜図３に示すように、ミシンＭは、水平なベッド部１と、このベッド部１の右端部に立設された脚柱部２と、ベッド部１と平行に脚柱部２から左方へ延びるアーム部３と、このアーム部３の左端部に設けられたヘッド部４などを備えている。このミシンＭにおいては、図３、図４に鎖線で示すように、ヘッド部４の針棒３０の下端部に縫製用の目孔１３ａ（図８参照）付きの縫針１３（第１の針に相当する）を装着した状態では、上糸と下糸を交絡させてベッド部１に戴置された加工布に縫目を形成する通常縫製を行うことができる。
【００２１】
一方、図１〜図４に実線で示すように、針棒３０から水平方向左方に所定距離離隔した位置に後述のパンチング針１４（フェルティングニードルともいい、第２の針に相当する）を装着した状態では、図１２、図１３に示すように、パンチング針１４により、ベッド部１上の加工布８０（下側の被加工物）の上に重ねた装飾材としての毛糸８１（上側の被加工物）を加工布８０に押し込んで、上糸や下糸を用いずに加工布８０に刺繍的な装飾模様を形成するニードルパンチング加工を加工布８０に施すことができる。
【００２２】
図２、図４に示すように、ベッド部１の内部には、縫針１３を用いて通常縫製を行う際に針棒３０の下方において上糸を捕捉する釜機構１０（糸捕捉手段）が設けられており、ベッド部１において釜機構１０の上側には通常縫製用の針板１１とニードルパンチング加工用の針板１２の何れか一方が装着される。即ち、図５、図６（ベッド部１側から針板１１，１２を見た図）に示すように、ミシンＭには、釜機構１０の上側に位置し縫針１３が通過する針穴１１ａを備えた針板１１と、この釜機構１０よりも左方に位置しパンチング針１４が通過する針穴１２ａを備えた針板１２の、２種類の針板１１，１２が付属しており、通常縫製あるいはニードルパンチング加工を行う際に、これら２種類の針板１１，１２のうち一方を選択してベッド部１に装着するように構成されている。」
カ　「【００２７】
針棒上下動機構３１は、ミシンモータ（図示略）の駆動力を針棒３０に伝達して針棒３０を上下に駆動するものであり、公知の構成であるためその説明は省略するが、針抱き３３に縫針１３が装着された状態で、この針棒上下動機構３１により針棒３０が上下に駆動されると、通常縫製用の針板１１の下側において縫針１３の目孔１３ａから下方へ延びる上糸が釜機構１０の剣先により下糸と交絡して、針板１１上の加工布に縫目が形成される。」
キ　「【００３１】
さらに、保護カバーホルダ４５の左端部には、取付金具４７を介して平面視略矩形状で且つ透明な合成樹脂製の布押え４８が取付けられている。図９に示すように、布押え４８は、平面状に形成されパンチング針１４が通過する針穴１２ａ付近の加工布８０を押える押え部４８ａと、この押え部４８ａの前端部、左端部、及び右端部に夫々押え部４８ａから上方へ延びる鉛直壁状に形成された前壁部４８ｂ、左壁部４８ｃ及び右壁部４８ｄとを有する。押え部４８ａの中央部には、パンチング針１４が通過する円形穴４８ｅが形成されている。
【００３２】
さらに、前壁部４８ｂには、加工布８０の上に重ねられた毛糸８１を前後方向に案内する案内穴４８ｆも形成されている。従って、毛糸８１は、案内穴４８ｆにより後方へ案内され、さらに、押え部４８ａの上側から円形穴４８ｅを通って押え部４８ａの下側に出て、加工布８０の上に重ねて戴置される。ここで、毛糸８１が案内穴４８ｆを通過する際には、前壁部４８ｂに前後方向の力が作用することになるが、前壁部４８ｂは、左壁部４８ｃ及び右壁部４８ｄと一体形成されているため、前壁部４８ｂは左壁部４８ｃ及び右壁部４８ｄにより前後方向に支えられており、前壁部４８ｂが破損することがない。」
ク「【００６２】
【発明の効果】請求項１の発明によれば、針取付具に、前記針棒と第２の針とを挟持する方向に締結部材が装着され、締結部材を締結することにより第１、第２の挟持部で針棒と第２の針とを挟持するように構成したので、針棒の下端部に固定された針抱きに第１の針を固定するビス等の取付具に針棒が上下動する際の駆動力が作用せず、取付具が破損したりあるいは劣化したりするのを防止でき、常に第１の針を針抱きから容易に取り外すことができる。また、第２の針を針取付具を介して針棒に装着するため、その際に、針抱きを針棒から取り外す必要がなく、第２の針の取付け作業が容易になる。」
　
　上記記載事項ア〜ク（特に、ア、イ、オ）から、甲第１号証には、以下の発明（以下「甲１発明」という。）が記載されている。
　「縫製用の第１針と、加工布の上に重ねた装飾材としての毛糸を加工布に押し込んで、加工布に刺繍的な装飾模様を形成するニードルパンチング加工を加工布に施すことができるパンチング針と、ミシン本体に上下動自在に配設された針棒と、この針棒の下端部に縫製用の目孔付きの前記第１の針を固定する為の針抱きと、前記第１の針を用いて縫製する際に針棒の下方において糸を捕捉する糸捕捉手段とを備えたミシンにおいて、
前記針棒から水平方向に所定距離離隔して位置する前記パンチング針と、
前記針棒を挟持可能な第１の挟持部とパンチング針を挟持可能な第２の挟持部とを有しパンチング針を針棒に取付ける為の針取付具と、
前記パンチング針が通過する針穴を有する針板とを備え、
前記針取付具に、前記針棒とパンチング針とを挟持する方向に締結部材が装着され、
締結部材を締結することにより第１、第２の挟持部で針棒とパンチング針とを挟持するように構成し、
ヘッド部の針棒の下端部に縫製用の前記第１の針を装着した状態では、上糸と下糸を交絡させてベッド部に戴置された加工布に縫目を形成する通常縫製を行うことができ、
針棒から水平方向左方に所定距離離隔した位置に前記パンチング針を装着した状態では、前記パンチング針により、ベッド部上の加工布の上に重ねた装飾材としての毛糸を加工布に押し込んで、上糸や下糸を用いずに加工布に刺繍的な装飾模様を形成するニードルパンチング加工を加工布に施すことができる、ミシン。」
　
（２）甲第２号証の１には、商品名「フェルティミシン」について、商品の情報の欄に「発売日　２０１４／９／２５」、登録情報の欄に「Ａｍａｚｏｎ．ｃｏ．ｊｐでの取り扱い開始日　２０１４／４／８」と記載されている。
　さらに、甲第２号証の１には、商品名「フェルティミシン」について、商品の説明の商品紹介の欄には、「「糸をまったく使わない」のに布が縫える不思議なマジカルミシン「フェルティミシン」の登場です。
　糸を全く使わずに、ミシンの針だけで専用の布を縫い合わせることができます。・・・針部分は子供の手の入らないカバー付きで安心です。」が記載されている。
　また、甲第２号証の１及び甲第２号証の２には、商品名「フェルティミシン」が毛糸を用いる点は、示されていない。
　
（３）甲第３号証には、以下の事項が記載されている。
　「【００４３】　
　図６に示す本実施例では、ガイド部材５３は、その一側端部がミシン５６の針５２の近傍に位置し、ここからガイド部材５３はミシン５６の表面形状に沿って上方に延設され、さらにミシン５６の表面形状に沿ってミシン５６の裏側に至っている。そして、ミシン５６の後方に毛糸玉５４ａを配置して、該毛糸玉５４ａから引き出した毛糸５４を、ガイド部材５３に導通させて、縫い位置の近傍まで誘導している。」
　
（４）甲第４号証には、以下の事項が記載されている。
　「このストッパー１６は例えば円柱状に形成され、その中心には押圧軸７と同一軸線上に押圧軸７が嵌合する受孔１７が形成されている。このストッパー１６の上端部近傍の外周面にはフランジ１８が形成されており、このフランジ１８とベース２の底板との間にはスプリング１９が弾装されており、ストッパー１６が上昇する方向へ力を与えているが、ストッパー１６の上昇限はフランジ１８が開口部１５の周縁におけるベース２の下面に接触することにより規制され、ストッパー１６の上端面はベース２の上面よりわずかに突出し、前記筒体６の下端面に接触するか、或いはその下端面近傍に至っている。」（第２頁３欄６行〜１８行）
　
５．判断
（１）請求項１に係る発明について
　請求項１に係る発明と甲１発明とを対比すると、少なくとも以下の点で相違する。
　（相違点１）請求項１に係る発明は、縫製用の針と縫製する際に針棒の下方において糸を捕捉する糸捕捉手段とを有さないのに対して、甲１発明は、縫製用の第１の針と縫製する際に針棒の下方において糸を捕捉する糸捕捉手段とを有する点。
　（相違点２）請求項１に係る発明は、複数枚の布を重ね、その重ねた布の縫合箇所に毛糸を載せ、その毛糸も含めて前記複数枚の布を突き通すニードルフェルティングを行い、前記毛糸の繊維を前記複数枚の布の繊維に絡ませてその複数枚の布を縫合するミシンであるのに対して、甲１発明は、パンチング針により加工布の上に重ねた装飾材としての毛糸を加工布に押し込んで、加工布に刺繍的な装飾模様を形成するニードルパンチング加工を加工布に施すことができるミシンであるが、加工布が複数であるのか不明である点。
　
ア　（新規性）
　相違点１について検討する。甲１発明において、発明の課題は、「縫製用の第１の針と針棒の下端部から水平方向に所定距離離隔した第２の針（当審注　パンチング針が相当）とを容易に着脱可能に構成すること」（甲第１号証段落【０００６】）であり、甲第１号証の段落【００２２】に「図２、図４に示すように、ベッド部１の内部には、縫針１３を用いて通常縫製を行う際に針棒３０の下方において上糸を捕捉する釜機構１０（糸捕捉手段）が設けられており、ベッド部１において釜機構１０の上側には通常縫製用の針板１１とニードルパンチング加工用の針板１２の何れか一方が装着される。・・・通常縫製あるいはニードルパンチング加工を行う際に、これら２種類の針板１１，１２のうち一方を選択してベッド部１に装着するように構成されている。」とあるように、ニードルパンチング加工用の手段と共に、発明の課題の解決のために、縫製に用いる手段である縫製用の第１の針と縫製する際に針棒の下方において糸を捕捉する糸捕捉手段は必須の構成であり、省略することはできない。そして、請求項１に係る発明は、その縫製に用いる手段を有さないので、甲１発明に比べて構造が簡単である。
　そうすると、相違点１は実質的相違であるので、相違点２を検討するまでもなく、請求項１に係る発明は、甲１発明ではない。
　
イ　（進歩性）
　相違点１について、上記５（１）アで述べたように、甲１発明において、縫製に用いる手段は必須の構成であり、省略することはできない。そして、請求項１に係る発明は、その手段を有さないので、甲１発明に比べて構造が簡単である。
　相違点２について検討する。甲１発明において、複数枚の加工布を縫合する必要がある場合は、甲第１号証の段落【００２０】に「・・・このミシンＭにおいては、図３、図４に鎖線で示すように、ヘッド部４の針棒３０の下端部に縫製用の目孔１３ａ（図８参照）付きの縫針１３（第１の針に相当する）を装着した状態では、上糸と下糸を交絡させてベッド部１に戴置された加工布に縫目を形成する通常縫製を行うことができる。」とあるように、縫製用の第１の針（縫針１３）を用いることが想定されているので、あえて、パンチング針により複数の加工布を縫合する動機付けがない。
　請求項１に係る発明は、相違点２に係る構成、すなわち複数枚の布を重ね、その重ねた布の縫合箇所に毛糸を載せ、その毛糸も含めて前記複数枚の布を突き通すニードルフェルティングを行い、前記毛糸の繊維を前記複数枚の布の繊維に絡ませてその複数枚の布を縫合するミシンであるので、「布の種類に拘わらず、複数枚の布を容易にかつ強固に縫合することができるとともに、その縫合線はニードルフェルティングによる刺繍と同形状となり、布の縫合と刺繍を同時に行い得るものとなる。」（本件特許明細書【００１２】）の効果を奏する。
　また、甲１発明の課題は、「縫製用の第１の針と針棒の下端部から水平方向に所定距離離隔した第２の針（当審注　パンチング針に相当）とを容易に着脱可能に構成すること」（甲第１号証段落【０００６】）であり、請求項１に係る発明の課題の「（ニードルフェルティングにより）不織布以外の布においても、その複数枚を縫合し得て、かつ強固に縫合すること」（本件特許明細書【０００５】）とは、異なる。
　そうすると、相違点１及び相違点２に係る構成のいずれも、甲１発明に基づいて、当業者が容易に想到し得たとすることはできない。
　よって、請求項１に係る発明は、甲１発明に基づいて当業者が容易に発明をすることができたものではない。
　
　なお、申立人は、甲第１号証に記載の発明を、特許異議申立書１４頁１５行〜１５頁１１行に記載のものとして、新規性及び進歩性について主張しているが、甲第１号証全体の記載から、甲第１号証に記載の発明は、縫製に用いる手段である「縫製用の第１の針と縫製する際に針棒の下方において糸を捕捉する糸捕捉手段と」を必須の構成とするものであるから、申立人の主張は、採用できない。
　
（２）請求項２〜７に係る発明について
　請求項２〜７に係る発明は、請求項１に係る発明の発明特定事項を全て含むものであるから、請求項２〜７に係る発明は、甲１発明と対比すると、少なくとも上記相違点１、２で相違する。そのうち、上記相違点２に係る構成、すなわち複数枚の布を重ね、その重ねた布の縫合箇所に毛糸を載せ、その毛糸も含めて前記複数枚の布を突き通すニードルフェルティングを行い、前記毛糸の繊維を前記複数枚の布の繊維に絡ませてその複数枚の布を縫合するミシンである点は、甲第２号証の商品名「フェルティミシン」、甲第３号証、甲第４号証、及び周知技術（甲第５号証〜甲第１５号証）のいずれにも示されていないし、記載されていない。そして、請求項２〜７に係る発明は、相違点２に係る構成により、上記明細書記載の効果を奏する。
　よって、請求項２〜４、７に係る発明は、甲１発明及び甲第２号証の商品名「フェルティミシン」に基づいて、当業者が容易に発明をすることができたものではない。
　同様に、請求項５に係る発明は、甲１発明、甲第２号証の商品名「フェルティミシン」、及び甲第３号証記載事項に基づいて、当業者が容易に発明をすることができたものではない。
　同様に、請求項６に係る発明は、甲１発明、甲第２号証の商品名「フェルティミシン」、及び甲第４号証記載事項に基づいて、当業者が容易に発明をすることができたものではない。
　
６．むすび
　したがって、特許異議の申立ての理由及び証拠によっては、請求項１〜７に係る特許を取り消すことはできない。　
　また、他に請求項１〜７に係る特許を取り消すべき理由を発見しない。
　よって、結論のとおり決定する。
【異議決定日】
平成２９年２月２１日（２０１７．２．２１）